(57)【要約】      （修正有）【課題】外形形状が異なる複数種のＨＤＤカートリッジを装着できるアダプタを提供する。【解決手段】挿入方向前端面側にコネクタ４が取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジ２，３のいずれか一方を選択的に装着するためのカートリッジ装着部１２ｆが内部に形成され、更に、２種類のハードディスクドライブカートリッジ２，３の各挿入方向前端面側に取り付けられた各コネクタ４を臨ませるためのコネクタ用開口部１２ｂ１が前記カートリッジ装着部１２ｆの前方で挿入方向前端面１２ｂに形成された筐体１１（１２，１３）を備えた。【選択図】図３
2008108405.tif 000002
【特許請求の範囲】
【請求項１】
挿入方向前端面側にコネクタが取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジのいずれか一方を選択的に装着するためのカートリッジ装着部が内部に形成され、更に、前記２種類のハードディスクドライブカートリッジの各挿入方向前端面側に取り付けられた各コネクタを臨ませるためのコネクタ用開口部が前記カートリッジ装着部の前方で挿入方向前端面に形成された筐体を備えたことを特徴とするハードディスクドライブカートリッジ装着用アダプタ。
【請求項２】
挿入方向前端面側にコネクタが取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジのいずれか一方を選択的に装着するためのカートリッジ装着部が内部に形成され、更に、前記２種類のハードディスクドライブカートリッジの各挿入方向前端面側に取り付けられた各コネクタを臨ませるためのコネクタ用開口部が前記カートリッジ装着部の前方で挿入方向前端面に形成された筐体と、
前記カートリッジ装着部を覆って、このカートリッジ装着部内に装着した前記２種類のハードディスクドライブカートリッジのいずれか一方に対して外部への飛び出しを防止する開閉自在なロック蓋と、
閉蓋時に前記ロック蓋を前記筐体にロックする一方、前記ロック蓋の前記筐体へのロックを解除するロック／ロック解除機構部と、
を備えたことを特徴とするハードディスクドライブカートリッジ装着用アダプタ。
【請求項３】
前記カートリッジ装着部内にハードディスクドライブカートリッジが装着されていないことを検出するためのカートリッジ未装着検出機構部を前記筐体内に設けたことを特徴とする請求項１又は請求項２記載のハードディスクドライブカートリッジ装着用アダプタ。
【請求項４】
前記２種類のハードディスクドライブカートリッジを選択的に装着可能なアダプタであることを検出させるための検出部を前記筐体の挿入方向前端面又は前記筐体の側面に設けたことを特徴とする請求項１〜請求項３のうちいずれか１項記載のハードディスクドライブカートリッジ装着用アダプタ。
【請求項５】
前記カートリッジ装着部内に選択的に装着される前記２種類のハードディスクドライブカートリッジの各挿入方向前端面側に取り付けられた各コネクタの位置を、前記所定サイズのハードディスクドライブカートリッジの挿入方向前端面側に取り付けられたコネクタの位置に略一致させるために、前記２種類のハードディスクドライブカートリッジに形成した各第１位置決め溝と嵌合する第１位置決め用突起を前記カートリッジ装着部内に設けたことを特徴とする請求項１〜請求項４のうちいずれか１項記載のハードディスクドライブカートリッジ装着用アダプタ。
【請求項６】
前記カートリッジ装着部内に選択的に装着される前記２種類のハードディスクドライブカートリッジに対して前記カートリッジ装着部内で正規な位置に装着させるために、前記２種類のハードディスクドライブカートリッジに形成した各第２位置決め溝と嵌合する第２位置決め用突起を前記ロック蓋に設けたことを特徴とする請求項２〜請求項５のうちいずれか１項記載のハードディスクドライブカートリッジ装着用アダプタ。
【発明の詳細な説明】
【技術分野】
【０００１】
本発明は、所定サイズのハードディスクドライブカートリッジと外形形状が略同じに形成された筐体内に、所定サイズのハードディスクドライブカートリッジよりも外形寸法が小型サイズで少なくとも奥行き寸法が異なる２種類のハードディスクドライブカートリッジを選択的に装着でき、且つ、各ハードディスクドライブカートリッジを装填可能な機器に対してカートリッジ側及び機器側のコネクタ同士が互換性を持って接続できるハードディスクドライブカートリッジ装着用アダプタに関するものである。
【背景技術】
【０００２】
最近、大容量の情報を記録再生するハードディスクドライブ（ＨＤＤ：Ｈａｒｄ  Ｄｉｓｃ  Ｄｒｉｖｅ）を内蔵した状態で可搬性を有するハードディスクドライブカートリッジ（以下、ＨＤＤカートリッジと記す）が注目されており、外形形状が異なる複数種のＨＤＤカートリッジに対してＡＶ（Ａｕｄｉｏ  Ｖｉｄｅｏ）機器からＰＣ（Ｐｅｒｓｏｎａｌ  Ｃｏｍｐｕｔｅｒ）まで幅広い用途に適用できるようにｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）コンソーシアムにおいて規格化（標準化）の検討が行われている。
【０００３】
一方、外形形状が異なる２種類のリムーバルハードディスクのカートリッジを挿脱可能な記録装置、カートリッジ及びカートリッジの製造方法がある（例えば、特許文献１参照）。
【特許文献１】特開２００５−８５３１３号公報
【０００４】
図１０は従来の記録装置、カートリッジを示した斜視図、
図１１（ａ），（ｂ）は従来例のカートリッジにおいて、外形形状が異なる２種類のリムーバルハードディスクのカートリッジをそれぞれ示した斜視図である。
【０００５】
図１０及び図１１（ａ），（ｂ）に示した従来の記録装置、カートリッジは、上記した特許文献１（特開２００５−８５３１３号公報）に開示されているものであり、ここでは特許文献１を参照して簡略に説明する。
【０００６】
図１０に示した如く、従来の記録装置１００では、略直方体形状の装置本体１０１を備えており、この装置本体１０１の前面１０１ａに外形形状が異なる２種類のリムーバルハードディスクのカートリッジ１１１，１１２の挿入方向前端面１１１ａ，１１２ａを先頭にしてカートリッジ１１１，１１２を挿脱するための挿脱口１０１ｂ，１０１ｃが２箇所形成されている。
【０００７】
この際、装置本体１０１の前面１０１ａに形成した２箇所の挿脱口１０１ｂ，１０１ｃは、上記した２種類のリムーバルハードディスクのカートリッジ１１１，１１２のどちらに対しても挿脱可能になっている。
【０００８】
一方、上記した外形形状が異なる２種類のリムーバルハードディスクのカートリッジ１１１，１１２は、装置本体１０１に対する挿脱方向（奥行き方向）の長さのみ異なる寸法に形成されているものの、その他の外形仕様寸法は略同じ寸法に設定されている。
【０００９】
また、カートリッジ１１１，１１２の挿入方向後端面１１１ｂ，１１２ｂに識別用ラベル１１３，１１３をそれぞれ貼り付けることで、カートリッジ１１１，１１２を装置本体１０１に装填した後も、カートリッジ１１１，１１２の種類を区別できるようになっている。
【００１０】
また、図１１（ａ），（ｂ）に示した如く、２種類のリムーバルハードディスクのカートリッジ１１１，１１２は、挿入方向前端面１１１ａ，１１２ａ側にコネクタ１１４，１１４がそれぞれ取り付けられており、これらのコネクタ１１４，１１４と装置本体１０１とが互換性を持って接続されるようになっている。
【００１１】
また、カートリッジ１１１，１１２は、一方の側面１１１ｃ，１１２ｃに誤挿入防止溝１１１ｃ１，１１２ｃ１が挿入方向前端面１１１ａ，１１２ａから挿入方向前後端面１１１ｂ，１１２ｂに向かって長尺に形成されていると共に、一方の側面１１１ｃ，１１２ｃと反対側に位置する他方の側面１１１ｄ，１１２ｄにも誤挿入防止溝（図示せず）が形成されている。
【発明の開示】
【発明が解決しようとする課題】
【００１２】
ところで、上記した従来例の記録装置１００では、外形形状が異なる２種類のリムーバルハードディスクのカートリッジ１１１，１１２を装置本体１０１の前面１０１ａに形成した２箇所の挿脱口１０１ｂ，１０１ｃから装填した時に互換性を持って接続できるものの、装置本体１０１の前面１０１ａに２種類のカートリッジ１１１，１１２に対応して２箇所の挿脱口１０１ｂ，１０１ｃを形成しなければならないので、装置本体１０１の外観が見苦しいばかりでなく、カートリッジ１１１，１１２の各挿入方向前端面１１１ａ，１１２ａ側にそれぞれ取り付けられた各コネクタ１１４と対応する各コネクタ（図示せず）を装置本体１０１内に２箇所設けなければならないために、記録装置１００の構造が複雑になり、これに伴って記録装置１００がコストアップになってしまうなどの問題が発生している。
【００１３】
そこで、外形形状が異なる複数種のハードディスクカートリッジをＡＶ機器やＰＣなどに装填する場合に、ＡＶ機器やＰＣ側で挿脱口を１箇所だけ形成しても複数種のハードディスクカートリッジにそれぞれ取り付けたコネクタとＡＶ機器やＰＣ内にそれぞれ設けたコネクタとが互換性を持って接続できるシステムの構築が望まれている。
【課題を解決するための手段】
【００１４】
本発明は上記課題に鑑みてなされたものであり、請求項１記載の発明は、挿入方向前端面側にコネクタが取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジのいずれか一方を選択的に装着するためのカートリッジ装着部が内部に形成され、更に、前記２種類のハードディスクドライブカートリッジの各挿入方向前端面側に取り付けられた各コネクタを臨ませるためのコネクタ用開口部が前記カートリッジ装着部の前方で挿入方向前端面に形成された筐体を備えたことを特徴とするハードディスクドライブカートリッジ装着用アダプタである。
【００１５】
また、請求項２記載の発明は、挿入方向前端面側にコネクタが取り付けられた所定サイズのハードディスクドライブカートリッジと外形形状が略同じに形成され、且つ、前記所定サイズのハードディスクドライブカートリッジよりも小型サイズで少なくとも奥行き寸法が異なる２種類のハードディスクドライブカートリッジのいずれか一方を選択的に装着するためのカートリッジ装着部が内部に形成され、更に、前記２種類のハードディスクドライブカートリッジの各挿入方向前端面側に取り付けられた各コネクタを臨ませるためのコネクタ用開口部が前記カートリッジ装着部の前方で挿入方向前端面に形成された筐体と、
前記カートリッジ装着部を覆って、このカートリッジ装着部内に装着した前記２種類のハードディスクドライブカートリッジのいずれか一方に対して外部への飛び出しを防止する開閉自在なロック蓋と、
閉蓋時に前記ロック蓋を前記筐体にロックする一方、前記ロック蓋の前記筐体へのロックを解除するロック／ロック解除機構部と、
を備えたことを特徴とするハードディスクドライブカートリッジ装着用アダプタである。
【００１６】
また、請求項３記載の発明は、前記カートリッジ装着部内にハードディスクドライブカートリッジが装着されていないことを検出するためのカートリッジ未装着検出機構部を前記筐体内に設けたことを特徴とする請求項１又は請求項２記載のハードディスクドライブカートリッジ装着用アダプタである。
【００１７】
また、請求項４記載の発明は、前記２種類のハードディスクドライブカートリッジを選択的に装着可能なアダプタであることを検出させるための検出部を前記筐体の挿入方向前端面又は前記筐体の側面に設けたことを特徴とする請求項１〜請求項３のうちいずれか１項記載のハードディスクドライブカートリッジ装着用アダプタである。
【００１８】
また、請求項５記載の発明は、前記カートリッジ装着部内に選択的に装着される前記２種類のハードディスクドライブカートリッジの各挿入方向前端面側に取り付けられた各コネクタの位置を、前記所定サイズのハードディスクドライブカートリッジの挿入方向前端面側に取り付けられたコネクタの位置に略一致させるために、前記２種類のハードディスクドライブカートリッジに形成した各第１位置決め溝と嵌合する第１位置決め用突起を前記カートリッジ装着部内に設けたことを特徴とする請求項１〜請求項４のうちいずれか１項記載のハードディスクドライブカートリッジ装着用アダプタである。
【００１９】
更に、請求項６記載の発明は、前記カートリッジ装着部内に選択的に装着される前記２種類のハードディスクドライブカートリッジに対して前記カートリッジ装着部内で正規な位置に装着させるために、前記２種類のハードディスクドライブカートリッジに形成した各第２位置決め溝と嵌合する第２位置決め用突起を前記ロック蓋に設けたことを特徴とする請求項２〜請求項５のうちいずれか１項記載のハードディスクドライブカートリッジ装着用アダプタである。
【発明の効果】
【００２０】
請求項１記載のハードディスクドライブカートリッジ装着用アダプタによると、所定サイズのハードディスクドライブカートリッジと外形形状が略同じに形成された筐体内に、所定サイズのハードディスクドライブカートリッジよりも小型サイズで少なくとも奥行き寸法が異なる２種類のハードディスクドライブカートリッジのいずれか一方をカートリッジ装着部内に選択的に装着した状態で、このハードディスクドライブカートリッジ装着用アダプタをＡＶ機器やＰＣ内に装填したときに、各ハードディスクドライブカートリッジにそれぞれ取り付けたコネクタとＡＶ機器やＰＣ内にそれぞれ設けたコネクタとが互換性を持って接続することができるので、使用勝手が良好なハードディスクドライブカートリッジ装着用アダプタを提供できる。そして、上記したハードディスクドライブカートリッジ装着用アダプタを適用する場合には、従来例と異なってＡＶ機器やＰＣ側にそれぞれ挿脱口を１箇所だけ形成すれば良いので外観が良好となると共に、ＡＶ機器やＰＣ内にそれぞれコネクタを１箇だけ設ければ良いのでＡＶ機器やＰＣを安価に提供できる。
【００２１】
また、請求項２記載のハードディスクドライブカートリッジ装着用アダプタによると、所定サイズのハードディスクドライブカートリッジと外形形状が略同じに形成された筐体内に、所定サイズのハードディスクドライブカートリッジよりも小型サイズで少なくとも奥行き寸法が異なる２種類のハードディスクドライブカートリッジのいずれか一方をカートリッジ装着部内に選択的に装着した状態で、このハードディスクドライブカートリッジ装着用アダプタをＡＶ機器やＰＣ内に装填したときに、各ハードディスクドライブカートリッジにそれぞれ取り付けたコネクタとＡＶ機器やＰＣ内にそれぞれ設けたコネクタとが互換性を持って接続することができると共に、閉蓋時にロック蓋を筐体に対してロックした時にカートリッジ装着部内に選択的に装着した２種類の小型サイズのハードディスクドライブカートリッジのいずれか一方が外部に飛び出さないので、使用勝手が良好で且つ信頼性が高いハードディスクドライブカートリッジ装着用アダプタを提供できる。そして、上記したハードディスクドライブカートリッジ装着用アダプタを適用する場合には、従来例と異なってＡＶ機器やＰＣ側にそれぞれ挿脱口を１箇所だけ形成すれば良いので外観が良好となると共に、ＡＶ機器やＰＣ内にそれぞれコネクタを１箇だけ設ければ良いのでＡＶ機器やＰＣを安価に提供できる。
【００２２】
また、請求項３記載のハードディスクドライブカートリッジ装着用アダプタによると、カートリッジ装着部内にハードディスクドライブカートリッジが装着されていないことを検出するためのカートリッジ未装着検出機構部を筐体内に設けたために、小型サイズのハードディスクドライブカートリッジが装着されていないことをＡＶ機器やＰＣ内で検出できる。
【００２３】
また、請求項４記載のハードディスクドライブカートリッジ装着用アダプタによると、２種類のハードディスクドライブカートリッジを選択的に装着可能なアダプタであることを検出させるための検出部を筐体の挿入方向前端面又は筐体の側面に設けたために、ハードディスクドライブカートリッジ装着用アダプタをＡＶ機器やＰＣ内に装填したときに、アダプタであるか、又は、所定サイズのハードディスクドライブカートリッジあるかをＡＶ機器やＰＣ内で検出することができ、更に、ＡＶ機器やＰＣ内で各ハードディスクドライブカートリッジに対応した電源電圧を印加することができる。
【００２４】
また、請求項５記載のハードディスクドライブカートリッジ装着用アダプタによると、カートリッジ装着部内に選択的に装着される２種類のハードディスクドライブカートリッジの各挿入方向前端面側に取り付けられた各コネクタの位置を、所定サイズのハードディスクドライブカートリッジの挿入方向前端面側に取り付けられたコネクタの位置に略一致させるために、２種類のハードディスクドライブカートリッジに形成した各第１位置決め溝と嵌合する第１位置決め用突起をカートリッジ装着部内に設けたために、ＡＶ機器やＰＣ内で各ハードディスクドライブカートリッジにそれぞれ取り付けたコネクタに対して互換性を持って確実に接続することができる。
【００２５】
更に、請求項６記載のハードディスクドライブカートリッジ装着用アダプタによると、カートリッジ装着部内に選択的に装着される２種類のハードディスクドライブカートリッジに対してカートリッジ装着部内で正規な位置に装着させるために、２種類のハードディスクドライブカートリッジに形成した各第２位置決め溝と嵌合する第２位置決め用突起をロック蓋に設けたために、カートリッジ装着部内に小型サイズのハードディスクドライブカートリッジを正規な位置に確実に装着することができる。
【発明を実施するための最良の形態】
【００２６】
以下に本発明に係るハードディスクドライブカートリッジ装着用アダプタの一実施例について図１〜図９を参照して詳細に説明する。
【００２７】
本発明に係る実施例のハードディスクドライブカートリッジ装着用アダプタ１０（図３）を説明する前に、先に述べたｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ）コンソーシアムにおいて規格化（標準化）の検討が行われている複数種のハードディスクドライブカートリッジについて図１（ａ）〜（ｃ）及び図２を用いて説明する。
【００２８】
図１は外形形状が異なる複数種のハードディスクドライブカートリッジを説明するための斜視図であり、（ａ）は３．５インチ型、（ｂ）は２．５インチ型、（ｃ）は１．８インチ型を示した図、
図２（ａ），（ｂ）は３．５インチ型のハードディスクドライブカートリッジ、又は、実施例のハードディスクドライブカートリッジ装着用アダプタが装填されるＡＶ機器又はＰＣを示した斜視図である。
【００２９】
図１（ａ）〜（ｃ）に示した如く、複数種のハードディスクドライブカートリッジ（以下、ＨＤＤカートリッジと記す）１〜３は、外形形状、即ち、外形寸法がそれぞれ異なって形成されている。
【００３０】
ここで、複数種のＨＤＤカートリッジ１〜３のうちで、まず、図１（ａ）に示したＨＤＤカートリッジ１は、外形形状が略直方体形状であり、且つ、所定サイズである最大サイズの３．５インチ型に構成されており、奥行き寸法Ｄ１，幅寸法Ｗ１，高さ寸法Ｈ１で形成された直方体内に不図示の３．５インチのハードディスクドライブ（ＨＤＤ）が内蔵されている。
【００３１】
この際、３．５インチ型のＨＤＤカートリッジ１において、上記した奥行き寸法Ｄ１，幅寸法Ｗ１，高さ寸法Ｈ１は、先に述べたｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ）コンソーシアムにおいて今後規格化された場合に、例えば、Ｄ１＝１８５ｍｍ，Ｗ１＝１１６ｍｍ，Ｈ１＝３６ｍｍ程度に設定されることが見込まれる。
【００３２】
また、上記した、３．５インチ型のＨＤＤカートリッジ１は、挿入方向前端面１ａ側を先頭にし、且つ、挿入方向後端面１ｂ側を把持しながら図２（ａ）に示したＡＶ機器５の前面５ａに１箇所形成した挿脱口５ｂ又は図２（ｂ）に示したＰＣ６の前面６ａに１箇所形成した挿脱口６ｂに対して着脱自在になっている。
【００３３】
そして、３．５インチ型のＨＤＤカートリッジ１をＡＶ機器５又はＰＣ６内に挿入した時に、ＡＶ機器５内に取り付けたコネクタ７又はＰＣ６内に取り付けたコネクタ７に対して電気的に接続するためのコネクタ４がＨＤＤカートリッジ１の挿入方向前端面１ａ側に取り付けられている。
【００３４】
また、３．５インチ型のＨＤＤカートリッジ１の左右の側面１ｃ，１ｄには、ＡＶ機器５やＰＣ６への誤挿入を防止するための誤挿入防止溝１ｃ１，１ｄ１が平坦な面(図示では下面)１ｅ側に偏位し、且つ、挿入方向前端面１ａ側を開口してこの位置から挿入方向後端面１ｂ側に向かって長尺に形成されていると共に、挿入方向後端面１ｂ側が閉じられている。
【００３５】
従って、３．５インチ型のＨＤＤカートリッジ１を図２（ａ），（ｂ）に示したＡＶ機器５の挿脱口５ｂ又はＰＣ６の挿脱口６ｂから挿入する時に各挿脱口５ｂ，６ｂの左右に設けた不図示の各誤挿入防止ガイドレールにＨＤＤカートリッジ１の誤挿入防止溝１ｃ１，１ｄ１が進入可能な場合のみ正規な挿入となる一方、ＨＤＤカートリッジ１の上下を反転したり、あるいは、前後を反転した時には不図示の各誤挿入防止ガイドレールにＨＤＤカートリッジ１の誤挿入防止溝１ｃ１，１ｄ１が進入できないので誤挿入として検知できるようになっている。
【００３６】
また、３．５インチ型のＨＤＤカートリッジ１で平坦な面１ｅと反対側の面(図示では上面)１ｆも平坦に形成されている。
【００３７】
そして、３．５型のＨＤＤカートリッジ１は、後述する実施例のハードディスクドライブカートリッジ装着用アダプタ１０（図３）に対して装着不能であるものの、３．５インチ型のＨＤＤカートリッジ１を単独で図２（ａ），（ｂ）に示したＡＶ機器５又はＰＣ６内に装填した場合に、後述する実施例のハードディスクドライブカートリッジ装着用アダプタ１０（図３）に対して接続の互換性を持つことができるように構成されている。
【００３８】
即ち、ＡＶ機器５又はＰＣ６内で接続の互換性を保つためには、ＨＤＤカートリッジ１の挿入方向前端面１ａ側に取り付けられたコネクタ４の取り付け位置を規格化することであり、具体的には、ＨＤＤカートリッジ１の平坦な面１ｅを基準面とした時に、この平坦な面１ｅからＨＤＤカートリッジ１の左右の側面１ｃ，１ｄに形成した誤挿入防止溝１ｃ１，１ｄ１までの高さ寸法をｈ１に設定し、且つ、この誤挿入防止溝１ｃ１，１ｄ１の高さ位置からコネクタ４の高さ位置までの寸法をｈ２に設定すると共に、コネクタ４の幅方向中心位置をＨＤＤカートリッジ１の幅方向中心に設定している。この際、上記した高さ寸法ｈ１，ｈ２もまだ規格化されていないものの、予想される寸法はｈ１＝３．０ｍｍ，ｈ２＝９．４ｍｍ程度である。
【００３９】
次に、図１（ｂ）に示したＨＤＤカートリッジ２は、外形形状が略直方体形状であり、且つ、所定サイズ（以下、最大サイズと記す）の３．５インチ型よりも小型サイズの２．５インチ型に構成されており、このＨＤＤカートリッジ２はｉＶＤＲコンソーシアムにおいて外形寸法の規格化（標準化）が既に決定していて、奥行き寸法Ｄ２＝１１０ｍｍ，幅寸法Ｗ２＝８０ｍｍ，高さ寸法Ｈ２＝１２．７ｍｍに形成された直方体内に不図示の２．５インチのハードディスクドライブ（ＨＤＤ）が内蔵されている。
【００４０】
上記した２．５インチ型のＨＤＤカートリッジ２は、挿入方向前端面２ａ側を先頭にし、且つ、挿入方向後端面２ｂ側を把持しながら後述する実施例のハードディスクドライブカートリッジ装着用アダプタ１０（図３）に対して着脱自在になっていると共に、機器によっては単独での装填も可能になっている。
【００４１】
そして、２．５インチ型のＨＤＤカートリッジ２を装着したハードディスクドライブカートリッジ装着用アダプタ１０（図３）を図２（ａ），（ｂ）に示したＡＶ機器５又はＰＣ６内に挿入した時に、ＡＶ機器５内に取り付けたコネクタ７又はＰＣ６内に取り付けたコネクタ７に対して電気的に接続するためのコネクタ４がＨＤＤカートリッジ２の挿入方向前端面２ａ側に取り付けられている。
【００４２】
また、ＨＤＤカートリッジ２の左右の側面２ｃ，２ｄには、単独で装填可能な不図示の機器に対して誤挿入を防止するための誤挿入防止溝２ｃ１，２ｄ１が平坦な面(図示では下面)２ｅ側に偏位し、且つ、挿入方向前端面２ａ側を開口してこの位置から挿入方向後端面２ｂ側に向かって長尺に形成されていると共に、挿入方向後端面２ｂ側が閉じられている。
【００４３】
また、ＨＤＤカートリッジ２の左右の側面２ｃ，２ｄで、挿入方向前端面２ａから挿入方向後端面２ｂに向かって距離Ｌ１だけ離れた位置に第１位置決め溝（２ｃ２…図示せず），２ｄ２が図示上方の平坦な面２ｆに向かって形成されている共に、挿入方向前端面２ａから距離Ｌ１より長い距離Ｌ２だけ離れた位置に第２位置決め溝２ｃ３，２ｄ３が上記した平坦な面２ｆと反対側で図示下方の平坦な面２ｅに向かって形成されており、これらの第１位置決め溝（２ｃ２），２ｄ２及び第２位置決め溝２ｃ３，２ｄ３の機能については後述する。
【００４４】
また、ＨＤＤカートリッジ２の左右の側面２ｃ，２ｄで、平坦な面２ｆ側に左右の側面２ｃ，２ｄよりも幅方向内側に向かって引っ込んだ凹段部２ｃ４，２ｄ４が挿入方向前端面２ａから挿入方向後端面２ｂに向かって長尺に形成されており、これらの凹段部２ｃ４，２ｄ４間が下記する１．８インチ型のＨＤＤカートリッジ３よりも高さが僅かに高く且つ幅方向が左右の側面２ｃ，２ｄよりも狭く突出している部分である。
【００４５】
次に、図１（ｃ）に示したＨＤＤカートリッジ３は、外形形状が略直方体形状であり、且つ、２．５インチ型よりも小型サイズの１．８インチ型に構成されており、このＨＤＤカートリッジ３はｉＶＤＲコンソーシアムにおいて外形寸法の規格化（標準化）が既に決定していて、奥行き寸法Ｄ３＝６７ｍｍ，幅寸法Ｗ３＝８０ｍｍ，高さ寸法Ｈ３＝１０ｍｍに形成された直方体内に不図示の１．８インチのハードディスクドライブ（ＨＤＤ）が内蔵されている。
【００４６】
上記した１．８インチ型のＨＤＤカートリッジ３は、奥行き寸法Ｄ３及び高さ寸法Ｈ３が前記した２．５インチ型のＨＤＤカートリッジ２の奥行き寸法Ｄ２及び高さ寸法Ｈ２よりも小さいものの、幅寸法Ｗ３が前記した２．５インチ型のＨＤＤカートリッジ２の幅寸法Ｗ２と同じになっているので、挿入方向前端面３ａ側を先頭にし、且つ、挿入方向後端面３ｂ側を把持しながら後述する実施例のハードディスクドライブカートリッジ装着用アダプタ１０（図３）に対して着脱自在になっていると共に、機器によっては単独での装填も可能になっている。
【００４７】
そして、１．８インチ型のＨＤＤカートリッジ３を装着したハードディスクドライブカートリッジ装着用アダプタ１０（図３）を図２（ａ），（ｂ）に示したＡＶ機器５又はＰＣ６内に挿入した時に、ＡＶ機器５内に取り付けたコネクタ７又はＰＣ６内に取り付けたコネクタ７に対して電気的に接続するためのコネクタ４がＨＤＤカートリッジ３の挿入方向前端面３ａ側に取り付けられている。
【００４８】
また、ＨＤＤカートリッジ３の左右の側面３ｃ，３ｄには、単独で装填可能な不図示の機器に対して誤挿入を防止するための誤挿入防止溝３ｃ１，３ｄ１が平坦な面(図示では下面)３ｅ側に偏位し、且つ、挿入方向前端面３ａ側を開口してこの位置から挿入方向後端面３ｂ側に向かって長尺に形成されていると共に、挿入方向後端面３ｂ側が閉じられている。
【００４９】
また、ＨＤＤカートリッジ３の左右の側面３ｃ，３ｄで、挿入方向前端面３ａから挿入方向後端面３ｂに向かって距離Ｌ１だけ離れた位置に第１位置決め溝（３ｃ２…図示せず），３ｄ２が図示上方の平坦な面３ｆに向かって形成されていると共に、挿入方向前端面３ａから距離Ｌ１より長い距離Ｌ２だけ離れた位置に第２位置決め溝３ｃ３，３ｄ３が上記した平坦な面３ｆと反対側で図示下方の平坦な面３ｅに向かって形成されており、これらの第１位置決め溝（３ｃ２），３ｄ２及び第２位置決め溝３ｃ３，３ｄ３は上記した２．５インチ型のＨＤＤカートリッジ２と同一寸法位置に形成されているが、これらの機能については後述する。
【実施例】
【００５０】
図３（ａ），（ｂ）は本発明に係る実施例のハードディスクドライブカートリッジ装着用アダプタを上方，下方から見た斜視図、
図４は本発明に係る実施例のハードディスクドライブカートリッジ装着用アダプタにおいて、ロック蓋を開けてカートリッジ装着部を示した斜視図、
図５（ａ），（ｂ）は本発明に係る実施例のハードディスクドライブカートリッジ装着用アダプタのカートリッジ装着部内に、２．５インチ型のハードディスクドライブカートリッジ，１．８インチ型のハードディスクドライブカートリッジをそれぞれ装着した状態を示した斜視図、
図６（ａ），（ｂ）は本発明に係る実施例のハードディスクドライブカートリッジ装着用アダプタのカートリッジ装着部内に、２．５インチ型のハードディスクドライブカートリッジ，１．８インチ型の各ハードディスクドライブカートリッジをそれぞれ装着した時に、各ハードディスクドライブカートリッジに取り付けた各コネクタを示した前面図、
図７は本発明に係る実施例のハードディスクドライブカートリッジ装着用アダプタにおいて、カートリッジ未装着検出機構部と、ロック蓋のロック及びロック解除機構部とを示した斜視図、
図８（ａ），（ｂ）は本発明に係る実施例のハードディスクドライブカートリッジ装着用アダプタにおいて、ロック蓋をロックする動作を説明するための斜視図，平面図、
図９（ａ），（ｂ）は本発明に係る実施例のハードディスクドライブカートリッジ装着用アダプタにおいて、ロック蓋のロックを解除する動作を説明するための斜視図，平面図である。
【００５１】
図３（ａ），（ｂ）に示した如く、本発明に係る実施例のハードディスクドライブカートリッジ装着用アダプタ１０では、略直方体形状に形成された筐体１１の外形寸法が、先に図１（ａ）を用いて説明した最大サイズである３．５インチ型のＨＤＤカートリッジ１の外形寸法（奥行き寸法Ｄ１，幅寸法Ｗ１，高さ寸法Ｈ１）と略同じに形成されており、ＨＤＤカートリッジ１の外形寸法は前述したようにまだ規格化されていないものの、今後規格化された場合に、前述したように各寸法Ｄ１，Ｗ１，Ｈ１は、例えば、Ｄ１＝１８５ｍｍ，Ｗ１＝１１６ｍｍ，Ｈ１＝３６ｍｍ程度に設定されることが見込まれる。
【００５２】
そして、実施例のハードディスクドライブカートリッジ装着用アダプタ１０は、略直方体形状に形成された筐体１１の内部に図１（ａ）で示した最大サイズである３．５インチ型のＨＤＤカートリッジ１よりも小型サイズで少なくとも奥行き寸法が異なる２種類のＨＤＤカートリッジ２，３のいずれか一方が選択的に装着可能になっており、具体的には、図１（ｂ）で示した２．５インチ型のＨＤＤカートリッジ２、又は、図１（ｃ）で示した１．８インチ型のＨＤＤカートリッジ３が選択的に装着可能なっている。
【００５３】
そして、筐体１１内に２．５インチ型のＨＤＤカートリッジ２又は１．８インチ型のＨＤＤカートリッジ３のいずれか一方が選択的に装着された状態で、先に図２（ａ），（ｂ）を用いて説明したＡＶ機器５又はＰＣ６内に装填したときに、後述するように、単独で装填される３．５インチ型のＨＤＤカートリッジ１に対して接続の互換性が得られるようになっている。
【００５４】
この際、上記した筐体１１は、樹脂材を用いて成形加工した第１筐体１２と第２筐体１３とに２分割されおり、第１筐体１２の平坦な面１２ａの裏面側をカバーとして機能する第２筐体１３で覆い隠すように第１，第２筐体１２，１３を重ね合わせた後に、第１筐体１２の平坦な面１２ａの前後左右に形成した４箇所の取り付け孔１２ａ１から４本のネジ１４を挿入して第２筐体１３の平坦な面１３ａの裏面側に形成した不図示のボスに締結することで筐体１１が略直方形状に組み立てられている。
【００５５】
また、第１，第２筐体１２，１３を重ね合わせて組み立てた筐体１１は、第１，第２筐体１２，１３の各挿入方向前端面１２ｂ，１３ｂが図２（ａ），（ｂ）に示したＡＶ機器５又はＰＣ６内に挿入する時の先頭側になっており、且つ、第１，第２筐体１２，１３の各挿入方向後端面１２ｃ，１３ｃ側を手で把持できるようになっている。
【００５６】
また、第１筐体１２の左右の側面１２ｄ，１２ｅには、ＡＶ機器５やＰＣ６への誤挿入を防止するための誤挿入防止溝１２ｄ１，１２ｅ１が平坦な面(図示では下面)１２ａ側に偏位し、且つ、挿入方向前端面１２ｂ側を開口してこの位置から挿入方向後端面１２ｃ側に向かって長尺に形成されていると共に、挿入方向後端面１２ｃ側が閉じられており、これらの誤挿入防止溝１２ｄ１，１２ｅ１は先に図１（ａ）に示した３．５インチ型のＨＤＤカートリッジ１に形成した誤挿入防止溝１ｃ１，１ｄ１と同じ寸法仕様になっている。
【００５７】
従って、実施例のハードディスクドライブカートリッジ装着用アダプタ１０を図２（ａ），（ｂ）に示したＡＶ機器５の挿脱口５ｂ又はＰＣ６の挿脱口５ｂから挿入する時に各挿脱口５ｂ，６ｂの左右に設けた不図示の各誤挿入防止ガイドレールに第１筐体１２に形成した誤挿入防止溝１２ｄ１，１２ｅ１が進入可能な場合のみ正規な挿入となる一方、ハードディスクドライブカートリッジ装着用アダプタ１０の上下を反転したり、あるいは、前後を反転した時には不図示の各誤挿入防止ガイドレールに第１筐体１２に形成した誤挿入防止溝１２ｄ１，１２ｅ１が進入できないので誤挿入として検知できるようになっている。
【００５８】
また、第１筐体１２の挿入方向前端面１２ｂ側で左右の側面１２ｄ，１２ｅには、複数の孔１２ｄ２，１２ｅ２が形成されている。そして、複数の孔１２ｄ２，１２ｅ２は、ローディング用孔とアダプタロック用孔として用いられている。
【００５９】
この際、ハードディスクドライブカートリッジ装着用アダプタ１０を図２（ａ），（ｂ）に示したＡＶ機器５やＰＣ６に挿脱する場合に、複数の孔１２ｄ２，１２ｅ２のうちでローディング用孔に対して、ＡＶ機器５やＰＣ６内の左右に設けた不図示の各ローディグ部材が係合することで、実施例のハードディスクドライブカートリッジ装着用アダプタ１０がＡＶ機器５やＰＣ６に対して挿脱自在になっている。
【００６０】
一方、ハードディスクドライブカートリッジ装着用アダプタ１０をＡＶ機器５やＰＣ６内に装填した後に、複数の孔１２ｄ２，１２ｅ２のうちでアダプタロック用孔に対して、ＡＶ機器５やＰＣ６内の左右に設けた不図示の各ロック爪が係合することで、実施例のハードディスクドライブカートリッジ１０がＡＶ機器５やＰＣ６内から抜け出ることを防止することができる。
【００６１】
また、第１筐体１２の挿入方向前端面１２ｂには、後述するコネクタ用開口部１２ｂ１と、後述するスッチ検出孔１２ｂ２とが形成されている。
【００６２】
また、第２筐体１３の左右の側面１３ｄ，１３ｅには、スイッチ検出溝１３ｄ１，１３ｅ１が挿入方向前端面１３ｂを開口してこの位置から挿入方向後端面１３ｃ側に向かって長尺に形成されていると共に、挿入方向後端面１３ｃ側が閉じられており、これらのスイッチ検出溝１３ｄ１，１３ｅ１の機能については後で述べる。
【００６３】
また、第２筐体１３の右側面１３ｅに貫通して穿設した孔１３ｅ２内には、ＨＤＤカートリッジ２、又は、ＨＤＤカートリッジ３の未装着を検出するカートリッジ未装着検出レバー２４のアーム部２４ｂが臨んでいるが、このカートリッジ未装着検出レバー２４については後で述べる。
【００６４】
また、第１，第２筐体１２，１３のうちで、第１筐体１２は、平坦な面１２ａ側にロック蓋１５が開閉自在に取り付けられている。この際、第１筐体１２を図３（ｂ）に示した状態から上下を反転させて図４に図示すると、図４中では第１筐体１２の左右の側面１２ｄ，１２ｅも逆転して図示されるが、この図４に示した如く、ロック蓋１５を開けた時に第１筐体１２の内部に図１（ｂ）で示した２．５インチ型のＨＤＤカートリッジ２、又は、図１（ｃ）で示した１．８インチ型のＨＤＤカートリッジ３を図示上方から選択的に装着するためのカートリッジ装着部１２ｆが平坦な面１２ａ側を開口して凹状に形成されている。
【００６５】
そして、第１筐体１２のカートリッジ装着部１２ｆの上方を覆うロック蓋１５は、閉蓋時に第１筐体１２のカートリッジ装着部１２ｆ内に選択的に装着されたＨＤＤカートリッジ２又はＨＤＤカートリッジ３が外部に飛び出さないように防止しているが、ロック蓋１５の第１筐体１２へのロック及びロック解除については後述する。
【００６６】
また、図４に示した如く、第１筐体１２に形成したカートリッジ装着部１２ｆの左右の内側面下方には、カートリッジ載置用段部１２ｆ１，（１２ｆ１…図示せず）が奥行き方向に沿って僅かな高さで突出形成されており、これら左右のカートリッジ載置用段部１２ｆ１，（１２ｆ１）上に図１（ｂ）で示した２．５インチ型のＨＤＤカートリッジ２に形成した平坦な面２ｆ、又は、図１（ｃ）で示した１．８インチ型のＨＤＤカートリッジ３に形成した平坦な面３ｆが載置され、且つ、左右のカートリッジ載置用段部１２ｆ１，（１２ｆ１）間に図１（ｂ）で示した２．５インチ型のＨＤＤカートリッジ２の左右の側面２ｃ，２ｄよりも幅方向内側に向かって引っ込んだ凹段部２ｃ４，２ｄ４が進入可能になっている。
【００６７】
また、第１筐体１２に形成したカートリッジ装着部１２ｆ内で左右のカートリッジ載置用段部１２ｆ１，（１２ｆ１）上には、挿入方向前端面１２ｂから奥側に向かって距離Ｌ１の位置に第１位置決め用突起１２ｆ２，（１２ｆ２…図示せず）が僅かな高さで突出して形成されているので、これらの第１位置決め用突起１２ｆ２，（１２ｆ２）が図１（ｂ）で示した２．５インチ型のＨＤＤカートリッジ２の左右の側面２ｃ，２ｄで平坦な面２ｆに向かって形成した第１位置決め溝（２ｃ２…図示せず），２ｄ２、又は、図１（ｃ）で示した１．８インチ型のＨＤＤカートリッジ３の左右の側面３ｃ，３ｄで平坦な面３ｆに向かってに形成した第１位置決め溝（３ｃ２…図示せず），３ｄ２に嵌合するようになっている。
【００６８】
従って、第１筐体１２のカートリッジ装着部１２ｆの左右の内側面下方に突出形成した第１位置決め用突起１２ｆ２，（１２ｆ２）によって、ＨＤＤカートリッジ２又はＨＤＤカートリッジ３に対して上下の向きが規制され、且つ、挿入方向の前後が規制されると共に、ＨＤＤカートリッジ２の挿入方向前端面２ａ側に取り付けられたコネクタ４とＨＤＤカートリッジ３の挿入方向前端面２ａ側に取り付けられたコネクタ４とが第１筐体１２の挿入方向前端面１２ｂ側に対して略同一位置に設定されると共に、先に図１（ａ）で示した３．５インチ型のＨＤＤカートリッジ１の挿入方向前端面１ａ側に取り付けられたコネクタ４と略同一位置に設定される。
【００６９】
これに伴って、図３（ｂ）及び図４に示したように、第１筐体１２に形成したカートリッジ装着部１２ｆの前方で挿入方向前端面１２ｂには、第１筐体１２内に装着されたＨＤＤカートリッジ２又はＨＤＤカートリッジ３に取り付けた各コネクタ４を臨ませるためのコネクタ用開口部１２ｂ１が矩形状に形成されている。
【００７０】
また、第１筐体１２のカートリッジ装着部１２ｆ内で挿入方向後端面１２ｃ側には、左右一対の凸部１２ｆ３，１２ｆ３がカートリッジ装着部１２ｆの深さの半分程度の高さで突出形成されており、これらの左右一対の凸部１２ｆ３，１２ｆ３が図１（ｂ）で示した２．５インチ型のＨＤＤカートリッジ２の挿入方向後端面２ｂ側を規制すると共に、ロック蓋１５を閉じた時に、ロック蓋１５の天板１５ａが第１筐体１２の平坦な面１２ａと同一高さになるように規制している。
【００７１】
また、図４に示したように、ロック蓋１５は、天板１５ａの周囲を前面板１５ｂと、後面板１５ｃと、左右を逆転して図示した側面板１５ｄ，１５ｅとで長方枠状に囲まれており、且つ、前面板１５ｂ側の両サイドが第１筐体１２の挿入方向前端面１２側に回動自在に支持されている。
【００７２】
また、ロック蓋１５の左右の側面板１５ｄ，１５ｅの各中間部位には、第２位置決め用突起１５ｄ１，１５ｅ１が第１筐体１２のカートリッジ装着部１２ｆ側に向かって僅かな高さで突出形成されており、これらの第２位置決め用突起１５ｄ１，１５ｅ１が図１（ｂ）で示した２．５インチ型のＨＤＤカートリッジ２の左右の側面２ｃ，２ｄで平坦な面２ｅに向かって形成した第２位置決め溝２ｃ３，２ｄ３、又は、図１（ｃ）で示した１．８インチ型のＨＤＤカートリッジ３の左右の側面３ｃ，３ｄで平坦な面３ｅに向かって形成した第２位置決め溝３ｃ３，３ｄ３に嵌合した時に、図５（ａ），（ｂ）に示したように、２．５インチ型のＨＤＤカートリッジ２、又は、１．８インチ型のＨＤＤカートリッジ３が第１筐体１２のカートリッジ装着部１２ｆ内の正規な位置にそれぞれ装着されるようになる。
【００７３】
言い換えると、２．５インチ型のＨＤＤカートリッジ２、又は、１．８インチ型のＨＤＤカートリッジ３が第１筐体１２のカートリッジ装着部１２ｆ内で正規な位置にそれぞれ装着されていない場合には、ロック蓋１５に形成した左右の第２位置決め用突起１５ｄ１，１５ｅ１がＨＤＤカートリッジ２又はＨＤＤカートリッジ３に衝突してしまうのでロック蓋１５を閉じることができなくなる。
【００７４】
そして、２．５インチ型のＨＤＤカートリッジ２、又は、１．８インチ型のＨＤＤカートリッジ３が第１筐体１２のカートリッジ装着部１２ｆ内の正規な位置にそれぞれ装着された時に、図６（ａ），（ｂ）に示したように、第１筐体１２の挿入方向前端面１２ｂに開口したコネクタ用開口部１２ｂ１内に２．５インチ型のＨＤＤカートリッジ２の挿入方向前端面２ａ側に取り付けられたコネクタ４、又は、１．８インチ型のＨＤＤカートリッジ３の挿入方向前端面３ａ側に取り付けられたコネクタ４が臨んでいる。
【００７５】
この際、第１筐体１２の平坦な面１２ａを基準面とした時、第１筐体１２の平坦な面１２ａから第１筐体１２の左右の側面１２ｄ，１２ｅに形成した誤挿入防止溝１２ｄ１，１２ｅ１までの高さ寸法ｈ１と、この誤挿入防止溝１２ｄ１，１２ｅ１の高さ位置からコネクタ４の高さ位置までの寸法ｈ２とが、先に図１（ａ）で示した３．５インチ型のＨＤＤカートリッジ１と略同じ寸法に設定されていると共に、コネクタ４の幅方向中心位置が第１筐体１２の幅方向中心に設定されている。尚、上記した高さ寸法ｈ１，ｈ２もまだ規格化されていないものの、前述したと同様に、予想される寸法はｈ１＝３．０ｍｍ，ｈ２＝９．４ｍｍ程度である。
【００７６】
これにより、２．５インチ型のＨＤＤカートリッジ２又は１．８インチ型のＨＤカートリッジ３を装着した実施例のハードディスクドライブカートリッジ装着用アダプタ１０を図２（ａ），（ｂ）に示したＡＶ機器５又はＰＣ６内に挿入した時に、３．５インチ型のＨＤＤカートリッジ１と同様に、ＨＤＤカートリッジ２に取り付けたコネクタ４又はＨＤＤカートリッジ３に取り付けたコネクタ４がＡＶ機器５内に取り付けたコネクタ７又はＰＣ６内に取り付けたコネクタ７に対して互換性を持って接続することができる。
【００７７】
次に、実施例の要部となるカートリッジ未装着検出機構部と、ロック蓋１５のロック／ロック解除機構部とについて図７〜図９を用いて説明する。
【００７８】
図７に示した如く、第１筐体１２の平坦な面１２ａの裏面側には、図４に示したカートリッジ装着部１２ｆと対応して挿入方向前端面１２ｂ側から挿入方向後端面１２ｃ側に向かった凸状面部１２ｇと、カートリッジ装着部１２ｆ内で挿入方向後端面１２ｃ側に形成した左右一対の凸部１２ｆ３，１２ｆ３と対応した左右一対の第１凹状面部１２ｈ，１２ｈと、挿入方向後端面１２ｃ側で左右一対の第１凹状面部１２ｈ，１２ｈよりも深さを深く形成した第２凹状面部１２ｉとがそれぞれ上記順に連接して形成されている。
【００７９】
そして、第１筐体１２の裏面側に形成した凸状面部１２ｇ上に、実施例の要部となるカートリッジ未装着検出機構部２０が設けられ、一方、第１筐体１２の裏面側に形成した第２凹状面部１２ｉ上に、実施例の要部となるロック蓋１５のロック／ロック解除機構部３０が設けられている。
【００８０】
まず、上記したカートリッジ未装着検出機構部２０では、凸状面部１２ｇ上にＬ型ブラッケト２１がネジ２２により取り付けられており、このＬ型ブラッケト２１にシャフト２３が横設されている。
【００８１】
また、このシャフト２３には、樹脂成形したカートリッジ未装着検出レバー２４が捩じりバネ２５によりシャフト２３を中心に図示反時計方向に付勢されながら軸着されており、且つ、カートリッジ未装着検出レバー２４から延出した一方のアーム部２４ａは図４に示した第１筐体１２のカートリッジ装着部１２ｆに貫通して穿設した孔１２ｆ４内に進退自在になっていると共に、カートリッジ未装着検出レバー２４から延出した他方のアーム部２４ｂは図３（ａ）に示した第２筐体１３の右側面１３ｅに貫通して穿設した孔１３ｅ２内に進退自在になっている。
【００８２】
尚、カートリッジ未装着検出レバー２４を付勢する手段は捩じりバネ２５を用いているが、捩じりバネ２５に代えて、樹脂成形したカートリッジ未装着検出レバー２４に一体的にバネ性を有するバネ用アーム部（図示せず）を形成しても良い。
【００８３】
そして、第１筐体１２のカートリッジ装着部１２ｆ（図４）内に、ＨＤＤカートリッジ２、又は、ＨＤＤカートリッジ３が装着されていない場合には、捩じりバネ２５の付勢力によりカートリッジ未装着検出レバー２４の一方のアーム部２４ａがカートリッジ装着部１２ｆに形成した孔１２ｆ４（図４）内に突出し、且つ、カートリッジ未装着検出レバー２４の他方のアーム部２４ｂが第２筐体１３の右側面１３ｅに形成した孔１３ｅ２｛図３（ａ）｝から突出しているので、カートリッジ未装着状態のハードディスクドライブカートリッジ装着用アダプタ１０を図２（ａ），（ｂ）に示したＡＶ機器５の挿脱口５ｂ又はＰＣ６の挿脱口６ｂから挿入した時に、カートリッジ未装着検出レバー２４の他方のアーム部２４ｂがＡＶ機器５の挿脱口５ｂ又はＰＣ６の挿脱口６ｂに衝突してしまうので、ＨＤＤカートリッジ２、又は、ＨＤＤカートリッジ３が第１筐体１２のカートリッジ装着部１２ｆ内に装着されていないことを検出できる。
【００８４】
一方、ＨＤＤカートリッジ２、又は、ＨＤＤカートリッジ３が第１筐体１２のカートリッジ装着部１２ｆ内に装着されている場合には、ＨＤＤカートリッジ２、又は、ＨＤＤカートリッジ３によってカートリッジ未装着検出レバー２４の一方のアーム部２４ａが捩じりバネ２５の付勢力に抗して押圧されるので、上記とは逆にカートリッジ未装着検出レバー２４の他方のアーム部２４ｂが第２筐体１３の右側面１３ｅから引っ込むために何等の支障もなく、ハードディスクドライブカートリッジ装着用アダプタ１０をＡＶ機器５又はＰＣ６内に挿入することができる。
【００８５】
次に、上記したロック蓋１５のロック／ロック解除機構部３０は、第１筐体１２の第２凹状面部１２ｉ上で奥行き方向に沿って矢印Ｘ１，Ｘ２方向にスライド自在に設けたスライドロック板３１と、このスライドロック板３１上で矢印Ｘ１，Ｘ２方向と直交する矢印Ｙ１，Ｙ２方向にスライド自在に設けたスライドカム板３２とで構成されている。
【００８６】
上記したスライドロック板３１は樹脂成形加工により板状に成形されており、このスライドロック板３１の幅方向中央部位にガイド孔３１ａが奥行き方向に向かって貫通して長尺に穿設され、このガイド孔３１ａ内に第１筐体１２の第２凹状面部１２ｉの前後に形成したボス１２ｉ１，１２ｉ２が嵌合することで、スライドロック板３１が矢印Ｘ１，Ｘ２方向にスライド自在になっている。
【００８７】
また、スライドロック板３１上の左右に一対のボス３１ｂ，３１ｂが上方に向かって突出形成され、これら左右一対のボス３１ｂ，３１ｂに後述するスライドカム板３２の左右に貫通して傾斜カム状に形成した一対のカム溝３２ｂ，３２ｂが嵌合している。
【００８８】
また、スライドロック板３１上に形成した左右一対のボス３１ｂ，３１ｂの前方左右に一対の蓋ロック爪３１ｃ，３１ｃが第１筐体１２の裏面側に形成した左右一対の第１凹状面部１２ｈ，１２ｈ側に向かって延出されており、これら左右一対の蓋ロック爪３１ｃ，３１ｃは第１筐体１２の左右一対の第１凹状面部１２ｈ，１２ｈに形成した縦孔１２ｈ１，１２ｈ１内に進退自在になっていると共に、図４に示したロック蓋１５の前面板１５ｃの左右に形成した一対のロック孔１５ｃ１，１５ｃ１に係合可能になっている。
【００８９】
また、上記したスライドカム板３２も樹脂成形加工により板状に成形されており、第１筐体１２の挿入方向後端面１２ｃ側に向かう面に板バネ片３２ａが第１平坦面３２ａ１と凸面３２ａ２と第２平坦面３２ａ３とを連接して弾性変位可能に一体的に形成され、且つ、この段付き板バネ片３２ａは第１筐体１２の第２凹状面部１２ｉ内でボス１２ｉ１の前方に連接して形成した係止片１２ｉ３に常時当接している。
【００９０】
また、スライドカム板３２の左右に形成した一対のカム溝３２ｂ，３２ｂの前方に一対のガイド孔３２ｃ，３２ｃが貫通して形成されており、これら左右一対のガイド孔３２ｃ，３２ｃ内に第１筐体１２の第２凹状面部１２ｉに形成した左右一対のボス１２ｉ４，１２ｉ４が進入し、且つ、スライドカム板３２の上方から２本のネジ３３を左右一対のボス１２ｉ４，１２ｉ４に締結することで、スライドロック板３１及びスライドカム板３２が上方に抜けだすことなく、スライドカム板３２が矢印Ｙ１，Ｙ２に移動可能になっている。
【００９１】
また、スライドカム板３２の裏面右側には、手動操作される操作用突出片３２ｄが第１筐体１２の平坦な面１２ａ側に向かって一体的に突出形成されており、この操作用突出片３２ｄは第１筐体１２の右側面１２ｅ側で第２凹状面部１２ｉ内から平坦な面１２ａまで貫通して穿設した矩形孔１２ａ２内に進入しているので、図３（ｂ）に示したように第１筐体１２の平坦な面１２ａ側からスライドカム板３２の操作用突出片３２ｄを手動により矢印Ｙ１，Ｙ２方向に押すことができ、これにより操作用突出片３２ｄと一体にスライドカム板３２を矢印Ｙ１，Ｙ２方向に移動させることができるようになっている。
【００９２】
ここで、上記のように構成したロック蓋１５のロック／ロック解除機構部３０の動作について説明する。
【００９３】
まず、図８（ａ），（ｂ）はロック蓋１５をロックする状態を示しており、スライドカム板３２に形成した操作用突出片３２ｄは図３（ｂ）に示したように第１筐体１２の平坦な面１２ａに穿設した矩形孔１２ａ２内に進入しているので、第１筐体１２の平坦な面１２ａ側から操作用突出片３２ｄを手動により矢印Ｙ１方向に押すと、スライドカム板３２に形成した左右一対のガイド孔３２ｃ，３２ｃと第１筐体１２の第２凹状面部１２ｉ内に形成した左右一対のボス１２ｉ４，１２ｉ４との嵌合により、スライドカム板３２が矢印Ｙ１方向に移動する。
【００９４】
そして、スライドカム板３２が矢印Ｙ１方向に移動すると、ここに形成した左右一対のカム溝３２ｂ，３２ｂも矢印Ｙ１方向に移動するので、左右一対のカム溝３２ｂ，３２ｂに嵌合しているスライドロック板３１の左右一対のボス３１ｂ，３１ｂが上記したカム溝３２ｂ，３２ｂの形状に沿って案内されるので、スライドロック板３１が矢印Ｘ１方向に前進すると共に、スライドロック板３１に形成した段付き板バネ片３２ａ中の第１平坦面３２ａ１と凸面３２ａ２との境界部位に第１筐体１２の第２凹状面部１２ｉに形成した係止片１２ｉ３が当接するために、スライドロック板３１が前進位置で係止される。
【００９５】
これにより、スライドロック板３１の前方に形成した左右一対の蓋ロック爪３１ｃ，３１ｃは第１筐体１２の左右一対の第１凹状面部１２ｈ，１２ｈに形成した縦孔１２ｈ１，１２ｈ１内に進入し、更に、ロック蓋１５の後面板１５ｃの左右に形成した一対のロック孔１５ｃ１，１５ｃ１に係合するので、ロック蓋１５を閉じた時にこのロック蓋１５をスライドロック板３１によりロックすることができる。
【００９６】
次に、図９（ａ），（ｂ）はロック蓋１５のロックを解除する状態を示しており、上記とは逆に、第１筐体１２の平坦な面１２ａ｛図３（ｂ）｝側からスライドカム板３２に形成した操作用突出片３２ｄを手動により矢印Ｙ２方向に押すと、スライドカム板３２に形成した左右一対のガイド孔３２ｃ，３２ｃと第１筐体１２の第２凹状面部１２ｉ内に形成した左右一対のボス１２ｉ４，１２ｉ４との嵌合により、スライドカム板３２が矢印Ｙ２方向に移動する。
【００９７】
そして、スライドカム板３２が矢印Ｙ２方向に移動すると、ここに形成した左右一対のカム溝３２ｂ，３２ｂも矢印Ｙ２方向に移動するので、左右一対のカム溝３２ｂ，３２ｂに嵌合しているスライドロック板３１の左右一対のボス３１ｂ，３１ｂが上記したカム溝３２ｂ，３２ｂの形状に沿って案内されるので、スライドロック板３１が矢印Ｘ２方向に後退すると共に、スライドロック板３１に形成した段付き板バネ片３２ａ中の凸面３２ａ２と第２平坦面３２ａ３との境界部位に第１筐体１２の第２凹状面部１２ｉに形成した係止片１２ｉ３が当接するために、スライドロック板３１が後退位置で係止される。
【００９８】
これにより、スライドロック板３１の前方に形成した左右一対の蓋ロック爪３１ｃ，３１ｃはロック蓋１５の後面板１５ｃの左右に形成した一対のロック孔１５ｃ１，１５ｃ１から離れ、更に、第１筐体１２の左右一対の第１凹状面部１２ｈ，１２ｈに形成した縦孔１２ｈ１，１２ｈ１内から後退するので、ロック蓋１５のロックを解除して、ロック蓋１５を開蓋することができる。
【００９９】
ところで、前述したように、実施例のハードディスクドライブカートリッジ装着用アダプタ１０は、第１，第２筐体１２，１３を重ね合わせた筐体１１（図３）内に、２．５インチ型のＨＤＤカートリッジ２と、１．８インチ型のＨＤＤカートリッジ３のいずれか一方を選択的に装着可能であり、且つ、ＡＶ機器５やＰＣ６内で最大サイズのＨＤＤカートリッジ１と同様に接続の互換性を図れるものの、ＡＶ機器５やＰＣ６内での電源電圧が例えば１２Ｖである最大サイズのＨＤＤカートリッジ１と、電源電圧が例えば５Ｖである小型サイズのＨＤＤカートリッジ２，３との違いにより、最大サイズのＨＤＤカートリッジ１と、小型サイズのＨＤＤカートリッジ２，３のいずれか一方を装着した実施例のハードディスクドライブカートリッジ装着用アダプタ１０とをＡＶ機器５やＰＣ６内で検出させる必要がある。
【０１００】
そこで、図３（ａ）を用いて前述したように、第２筐体１３の左右の側面１３ｄ，１３ｅに挿入方向前端面１３ｂを開口してこの位置から挿入方向後端面１３ｃ側に向かって長尺に形成したスイッチ検出溝１３ｄ１，１３ｅ１に、ＡＶ機器５やＰＣ６内に設けた不図示のスイッチを進入させてＯＮ／ＯＦＦ制御することで、実施例のハードディスクドライブカートリッジ装着用アダプタ１０と最大サイズのＨＤＤカートリッジ１とを挿入途中で検出することができる。
【０１０１】
更に、図３（ｂ）を用いて前述したように、第１筐体１３の挿入方向前端面１３ｂに形成したスイッチ検出孔１３ｂ２に、ＡＶ機器５やＰＣ６内に設けた不図示のスイッチを進入させてＯＮ／ＯＦＦ制御することで、実施例のハードディスクドライブカートリッジ装着用アダプタ１０と最大サイズのＨＤＤカートリッジ１とを挿入直後に検出することができる。
【０１０２】
この際、第２筐体１３の左右の側面１３ｄ，１３ｅに形成したスイッチ検出溝１３ｄ１，１３ｅ１と、第１筐体１３の挿入方向前端面１３ｂに形成したスイッチ検出孔１３ｂ２とは、実施例のハードディスクドライブカートリッジ装着用アダプタ１０であることを挿入途中で検出させるか、挿入直後に検出させるかの違いがあるものの、両方を必ず設ける必要はなく、少なくとも一方だけ設ければ良いものである。
【０１０３】
以上詳述した本発明に係る実施例のハードディスクドライブカートリッジ装着用アダプタ１０によると、所定サイズ（最大サイズ）のハードディスクドライブカートリッジ１と外形形状が略同じに形成された筐体１１内に、所定サイズ（最大サイズ）のハードディスクドライブカートリッジ１よりも小型サイズで少なくとも奥行き寸法が異なる２種類のハードディスクドライブカートリッジ２，３のいずれか一方をカートリッジ装着部１２ｆ内に選択的に装着した状態で、このハードディスクドライブカートリッジ装着用アダプタ１０をＡＶ機器５やＰＣ６内に装填したときに、各ハードディスクドライブカートリッジ１〜３にそれぞれ取り付けたコネクタ４とＡＶ機器やＰＣ内にそれぞれ設けたコネクタ７とが互換性を持って接続することができると共に、閉蓋時にロック蓋１５を筐体１１に対してロックした時にカートリッジ装着部１２ｆ内に選択的に装着した２種類の小型サイズのハードディスクドライブカートリッジ２，３のいずれか一方が外部に飛び出さないので、使用勝手が良好で且つ信頼性が高いハードディスクドライブカートリッジ装着用アダプタ１０を提供できる。
【０１０４】
そして、上記したハードディスクドライブカートリッジ装着用アダプタ１０を適用する場合には、従来例と異なってＡＶ機器５やＰＣ６側にそれぞれ挿脱口５ｂ，６ｂを１箇所だけ形成すれば良いので外観が良好となると共に、ＡＶ機器５やＰＣ６内にそれぞれコネクタ７を１箇だけ設ければ良いのでＡＶ機器５やＰＣ６を安価に提供できる。
【図面の簡単な説明】
【０１０５】
【図１】外形形状が異なる複数種のハードディスクドライブカートリッジを説明するための斜視図であり、（ａ）は３．５インチ型、（ｂ）は２．５インチ型、（ｃ）は１．８インチ型を示した図である。
【図２】（ａ），（ｂ）は３．５インチ型のハードディスクドライブカートリッジ、又は、実施例のハードディスクドライブカートリッジ装着用アダプタが装填されるＡＶ機器又はＰＣを示した斜視図である。
【図３】（ａ），（ｂ）は本発明に係る実施例のハードディスクドライブカートリッジ装着用アダプタを上方，下方から見た斜視図である。
【図４】本発明に係る実施例のハードディスクドライブカートリッジ装着用アダプタにおいて、ロック蓋を開けてカートリッジ装着部を示した斜視図である。
【図５】（ａ），（ｂ）は本発明に係る実施例のハードディスクドライブカートリッジ装着用アダプタのカートリッジ装着部内に、２．５インチ型のハードディスクドライブカートリッジ，１．８インチ型のハードディスクドライブカートリッジをそれぞれ装着した状態を示した斜視図である。
【図６】（ａ），（ｂ）は本発明に係る実施例のハードディスクドライブカートリッジ装着用アダプタのカートリッジ装着部内に、２．５インチ型のハードディスクドライブカートリッジ，１．８インチ型の各ハードディスクドライブカートリッジをそれぞれ装着した時に、各ハードディスクドライブカートリッジに取り付けた各コネクタを示した前面図である。
【図７】本発明に係る実施例のハードディスクドライブカートリッジ装着用アダプタにおいて、カートリッジ未装着検出機構部と、ロック蓋のロック及びロック解除機構部とを示した斜視図である。
【図８】（ａ），（ｂ）は本発明に係る実施例のハードディスクドライブカートリッジ装着用アダプタにおいて、ロック蓋をロックする動作を説明するための斜視図，平面図である。
【図９】（ａ），（ｂ）は本発明に係る実施例のハードディスクドライブカートリッジ装着用アダプタにおいて、ロック蓋のロックを解除する動作を説明するための斜視図，平面図である。
【図１０】従来の記録装置、カートリッジを示した斜視図である。
【図１１】（ａ），（ｂ）は従来例のカートリッジにおいて、外形形状が異なる２種類のリムーバルハードディスクのカートリッジをそれぞれ示した斜視図である。
【符号の説明】
【０１０６】
１…３．５インチ型のハードディスクドライブカートリッジ（ＨＤＤカートリッジ）、
１ａ…挿入方向前端面、１ｂ…挿入方向後端面、
１ｃ，１ｄ…左右の側面、１ｃ１，１ｄ１…誤挿入防止溝、
１ｅ，１ｆ…平坦な面、
２…２．５インチ型のハードディスクドライブカートリッジ（ＨＤＤカートリッジ）、
２ａ…挿入方向前端面、２ｂ…挿入方向後端面、
２ｃ，２ｄ…左右の側面、２ｃ１，２ｄ１…誤挿入防止溝、
２ｃ２，２ｄ２…第１位置決め溝、２ｃ３，２ｄ３…第２位置決め溝、
２ｅ，２ｆ…平坦な面、
３…１．８インチ型のハードディスクドライブカートリッジ（ＨＤＤカートリッジ）、
３ａ…挿入方向前端面、３ｂ…挿入方向後端面、
３ｃ，３ｄ…左右の側面、３ｃ１，３ｄ１…誤挿入防止溝、
３ｃ２，３ｄ２…第１位置決め溝、３ｃ３，３ｄ３…第２位置決め溝、
３ｅ，３ｆ…平坦な面、
４…コネクタ、５…ＡＶ機器、６…ＰＣ、７…コネクタ、
１０…実施例のハードディスクドライブカートリッジ装着用アダプタ、
１１…筐体、
１２…第１筐体、１２ａ…平坦な面、
１２ｂ…挿入方向前端面、１２ｂ１…コネクタ用開口部、１２ｂ２…スッチ検出孔、
１２ｃ…挿入方向後端面、
１２ｄ，１２ｅ…左右の側面、１２ｄ１，１２ｅ１…誤挿入防止溝、
１２ｆ…カートリッジ装着部、１２ｆ１…カートリッジ載置用段部、
１２ｆ２…第１位置決め用突起、１２ｆ３…凸部、１２ｆ４…孔、
１２ｇ…凸状面部、１２ｈ…第１凹状面部、１２ｈ１…縦孔、
１２ｉ…第２凹状面部、１２ｉ１，１２ｉ２…ボス、
１２ｉ３…係止片、１２ｉ４…ボス、
１３…第２筐体、１３ａ…平坦な面、
１３ｂ…挿入方向前端面、１３ｃ…挿入方向後端面、
１３ｄ，１３ｅ…左右の側面、１３ｄ１，１３ｅ１…スイッチ検出溝、１３ｅ２…孔、
１５…ロック蓋、１５ａ…天板、１５ｂ…前面板、
１５ｃ…後面板、１５ｃ１…ロック孔、１５ｄ，１５ｅ…左右の側面板、
１５ｄ１，１５ｅ１…第２位置決め用突起、
２０…カートリッジ未装着検出機構部、
２１…Ｌ型ブラッケト、２３…シャフト、
２４…カートリッジ未装着検出レバー、２４ａ，２４ｂ…アーム部、２５…捩じりバネ、
３０…ロック蓋１５のロック／ロック解除機構部、
３１…スライドロック板、３１ａ…ガイド孔、３１ｂ…ボス、３１ｃ…蓋ロック爪、
３２…スライドカム板、３２ａ…板バネ片、３２ｂ…カム溝、
３２ｃ…ガイド孔、３２ｄ…操作用突出片、
Ｄ１…アダプタの奥行き寸法、Ｈ１…アダプタの高さ寸法、Ｗ１…アダプタの幅寸法。
【図１】
2008108405.tif 000003
【図２】
2008108405.tif 000004
【図３】
2008108405.tif 000005
【図４】
2008108405.tif 000006
【図５】
2008108405.tif 000007
【図６】
2008108405.tif 000008
【図７】
2008108405.tif 000009
【図８】
2008108405.tif 000010
【図９】
2008108405.tif 000011
【図１０】
2008108405.tif 000012
【図１１】
2008108405.tif 000013